(57)【特許請求の範囲】
【請求項１】
レーザー加工機等の板材加工機において、ワークの移動位置決め等に用いられるボールネジ駆動系の防塵装置であって、該ボールネジ駆動系は、ボールネジと、これをガイドする前記ボールネジの軸に平行なガイドを備え、前記ボールネジを内包してなる細長形状のシールボックスの下面に軸に平行に所望寸法幅の開口部を設け、この細長状の前記開口部に弾性部材を貼設したシールベルトを前記開口部に嵌合して前記シールボックス内を密閉状態とし、前記ボールネジに螺合して移動自在のナットブラケットの下部にシールベルトの上面と当接して摺動可能な適宜曲面を有する支持体を着脱可能に螺子部材にて螺合装着し、更に、前記シールベルトの下面に下方から押圧するように押圧部材を摺動可能にバネ部材にて付勢して上面開放型の筐体内に設け、前記ナットブラケットの下部に装着された支持体を筐体内に上方よりシールベルトを挟装して嵌入し支持体と筐体の両側部を螺子部材で接続固設し、シールボックスの密閉状態を維持可能とし、ボールネジのナットブラケットと筐体が前記支持体及びバネ部材を有する押圧部材と共に協動し、移動位置決め操作時においても前記シールボックスへの塵埃の侵入を防止可能とすることを特徴とするボールネジ駆動系の防塵装置。
【請求項２】
前記シールベルトは、バネ鋼としたことを特徴とする請求項１記載のボールネジ駆動系の防塵装置。
【請求項３】
前記弾性部材は、合成ゴムまたは樹脂からなり、前記シールベルトの内側片面に貼設され、前記シールボックスと当接する両側端部を該シールボックスの当接面に押圧可能な構造とし、前記シールボックスの開口部と当接して密閉状態を維持可能としたことを特徴とする請求項１記載のボールネジ駆動系の防塵装置。
【請求項４】
前記筐体には、移動方向前後の筐体の開放上面縁部にその上端を突出し、前記シールベルト下面に当接して摺動可能な押圧部材と、前記筐体側部の開放上面縁部に遮蔽機能を有するシール部材としての板状弾性部材とが共に前記シールボックスの下面に当接して摺動可能に設けられ、前記シールボックスと前記筐体が前記シールベルトを介して密閉状態を維持し、前記シールボックス内に塵埃の侵入を防止可能とすることを特徴とする請求項１記載のボールネジ駆動系の防塵装置。
【発明の詳細な説明】
【０００１】
【発明の属する技術分野】
この発明は、板材加工機等におけるボールネジ駆動系の防塵装置に関する。
【０００２】
【従来の技術】
レーザー加工機等の板材加工機において、ボールネジ駆動系のシールは軸とブラケットの境界部に、ラビリンスパッキンやスクレーパ等を用いるのが通例である。
【０００３】
【発明が解決しようとする課題】
然しながら、上述の従来例におけるレーザー加工機での切断加工時に発生する粉塵等に対しては、必ずしも十分な防塵対策が施されておらず、長時間使用するにつれてボールネジ部やその他の摺動部分に摩耗が進んで、ガタが生じ、加工精度に影響が発生する等の課題がある。
【０００４】
この発明は、上述の点に着目して成されたもので、ボールネジ駆動系を周囲と遮断して密閉包含するシールボックスの下面にシールベルトを設け、ボールネジのナットブラケットが、前記シールボックスの密閉状態を維持しながら加工操作のための移動位置決め操作を可能とするボールネジ駆動系の防塵装置を提供することを目的とする。
【０００５】
【課題を解決するための手段】
この発明は、下記構成を備えることにより上記課題を解決できるものである。
【０００６】
（１）レーザー加工機等の板材加工機において、ワークの移動位置決め等に用いられるボールネジ駆動系の防塵装置であって、該ボールネジ駆動系は、ボールネジと、これをガイドする前記ボールネジの軸に平行なガイドを備え、前記ボールネジを内包してなる細長形状のシールボックスの下面に軸に平行に所望寸法幅の開口部を設け、この細長状の前記開口部に弾性部材を貼設したシールベルトを前記開口部に嵌合して前記シールボックス内を密閉状態とし、前記ボールネジに螺合して移動自在のナットブラケットの下部にシールベルトの上面と当接して摺動可能な適宜曲面を有する支持体を着脱可能に螺子部材にて螺合装着し、更に、前記シールベルトの下面に下方から押圧するように押圧部材を摺動可能にバネ部材にて付勢して上面開放型の筐体内に設け、前記ナットブラケットの下部に装着された支持体を筐体内に上方よりシールベルトを挟装して嵌入し支持体と筐体の両側部を螺子部材で接続固設し、シールボックスの密閉状態を維持可能とし、ボールネジのナットブラケットと筐体が前記支持体及びバネ部材を有する押圧部材と共に協動し、移動位置決め操作時においても前記シールボックスへの塵埃の侵入を防止可能とすることを特徴とするボールネジ駆動系の防塵装置。
【０００７】
（２）前記シールベルトは、バネ鋼としたことを特徴とする前項（１）記載のボールネジ駆動系の防塵装置。
【０００８】
（３）前記弾性部材は、合成ゴムまたは樹脂からなり、前記シールベルトの内側片面に貼設され、前記シールボックスと当接する両側端部を該シールボックスの当接面に押圧可能な構造とし、前記シールボックスの開口部と当接して密閉状態を維持可能としたことを特徴とする前項（１）記載のボールネジ駆動系の防塵装置。
【０００９】
（４）前記筐体には、移動方向前後の筐体の開放上面縁部にその上端を突出し、前記シールベルト下面に当接して摺動可能な押圧部材と、前記筐体側部の開放上面縁部に遮蔽機能を有するシール部材としての板状弾性部材とが共に前記シールボックスの下面に当接して摺動可能に設けられ、前記シールボックスと前記筐体が前記シールベルトを介して密閉状態を維持し、前記シールボックス内に塵埃の侵入を防止可能とすることを特徴とする前項（１）記載のボールネジ駆動系の防塵装置。
【００１０】
【発明の実施の形態】
以下にこの発明の一実施の形態を説明する。
【００１１】
図１（ａ）は、この発明に係るボールネジ駆動系の防塵装置の一実施の形態を示す縦断側面図、同（ｂ）はシールボックスへのシールベルトの取り付け状況を示す断面説明図、同（ｃ）はシールボックスへのシールベルトの取り付け状況を示す部分拡大説明図、同（ｄ）は要部構成断面説明図、図２はボールネジ駆動系の一般的な構成を示す模式図である。
【００１２】
図面について説明すれば、１はボールネジ、２はガイド（またはＬＭガイド）、３はシールボックス、４はシールボックス３の下面に設けられた開口部、５はＮＢＲ等の合成ゴムまたは樹脂等の弾性部材、６はバネ鋼等からなるシールベルトであり弾性部材５を貼設してシールボックス３の下面に設けられた開口部４に嵌合して密閉可能である（図１（ｂ）、（ｃ）参照）。
【００１３】
７はナットブラケット、８は支持体、９は螺子部材であり、ナットブラケット７の下部に前記ナットブラケット７を支持するように前記支持体８を下方且つ外側より複数個の螺子部材９にて固設装着する。
【００１４】
１０は押圧部材（スクレーパとも称す）、１１はバネ部材、１２は上面開放型の筐体であり、この筐体１２の移動方向前後端部内側に、バネ部材１１にて上方に付勢してシールベルト６を下方から押圧するように押圧部材１０を設け、更に図１（ｄ）に示すように、上面開放型の筐体１２の両側端上面縁部に遮蔽機能を有するシール部材（リップシール）としての板状弾性部材１２ａをシールボックス３の下面に当接して摺動可能に設け、ナットブラケット７の下部に接続された支持体８を筐体１２内に上方よりシールベルト６を挟装して嵌入し支持体と筐体の両側部を螺子部材１３で接続固設し、シールボックス３と筐体１２がシールベルト６を介して密閉状態を維持し、移動位置決め操作時においても、ボールネジ駆動系への塵埃の侵入を防止することが出来るように構成されている。
【００１５】
上述の構成に基づいて作用を説明する。
【００１６】
レーザー加工機等の板材加工機において、例えば、機械座標上に位置決めされたワークＷを加工する際に加工ヘッドＨを、ボールネジ機構等を用いて高精度の位置決め操作を行う場合、前記ボールネジ１の回転駆動によりナットブラケット７が前記ボールネジ１の軸に沿って水平移動するが、ナットブラケット７の下部に複数の螺子部材９によって固設装着された支持対８の下方曲面部が、シールベルト６の内側上面に貼設された弾性部材５に摺動可能に当接して設け、また、支持体８と上面開放型の筐体１２とは、筐体１２内の前後部にバネ部材１１により上方に付勢して押圧するように設けられた押圧部材１０がシールベルト６を下方から摺動可能に押圧し、更に、上面開放型の筐体１２の両側端上面縁部に遮蔽機能を有するシール部材（リップシール）としての板状弾性部材１２ａをシールボックス３の下面に当接して摺動可能に設け、ナットブラケット７の下部に接続された支持体８を筐体１２内に上方よりシールベルト６を挟装して嵌入し両側部を螺子部材１３で接続固設しているために、前記シールベルト６を上下より挟み込んで扱くように前進後退等の移動が可能であり、移動位置決め操作時においても、駆動系の密閉状態を維持してボールネジ駆動系への塵埃の侵入を防止することが出来る。
【００１７】
なお、この防塵装置は、ボールネジ駆動系のみでなく、ラック、ＬＭガイド、リニアモータ等を用いた駆動系全般に広く応用でき、更には、レーザー加工機等の光軸ジャバラの代わりに使用することも可能である。
【００１８】
なお、説明を加えるとすれば、バネ鋼を用いたシールベルトの両側部は丸みを持たせたラウンド加工を施してあり、また、図１（ｃ）拡大図に示すようにシールベルトが嵌合し易いようにシールボックス３の開口部４には特別な加工が施してある。
【００１９】
【発明の効果】
この発明によれば、ボールネジ駆動系を周囲と遮断して密閉包含するシールボックスの下面にシールベルトを設け、ボールネジのナットブラケットが、前記シールボックスの密閉状態を維持しながら加工操作のための移動位置決め操作を可能とする効果を呈する。
【図面の簡単な説明】
【図１】（ａ）この発明に係るボールネジ駆動系の防塵装置の一実施の形態を示す縦断側面図、同（ｂ）シールボックスへのシールベルトの取り付け状況を示す断面説明図、同（ｃ）シールボックスへのシールベルトの取り付け状況を示す部分拡大説明図、同（ｄ）要部構成断面説明図
【図２】  ボールネジ駆動系の一般的な構成を示す模式図
【符号の説明】
１  ボールネジ
２  ガイド（ＬＭガイド）
３  シールボックス
４  開口部
５  弾性部材
６  シールベルト
７  ナットブラケット
８  支持体
９  螺子部材
１０  押圧部材
１１  バネ部材
１２  筐体
１２ａ  板状弾性部材（リップシール）
１３  螺子部材
Ｈ  加工ヘッド
Ｗ  ワーク
【図１】
0004435887.tif 000002
【図２】
0004435887.tif 000003